(57)【要約】【課題】  生産性が良好な回転検出装置を提供する。【解決手段】  回転検出装置１は、磁力変化を電気信号に変換する検出部２を内蔵する合成樹脂製のハウジング５と、このハウジング５に形成される貫通孔５ｅ１と、この貫通孔５ｅ１に被取付部１００とボルト接続するための金属製で筒状の補強部材５ｆと、を有する取付部５ｅと、を備え、補強部材５ｆは、貫通孔５ｅ１に圧入されていることを特徴とする。【選択図】図５
2017223455.tif 000002
【特許請求の範囲】
【請求項１】
磁力変化を電気信号に変換する検出部を内蔵する合成樹脂製のハウジングと、
このハウジングに形成される貫通孔と、この貫通孔に被取付部とボルト接続するための金属製で筒状の補強部材と、を有する取付部と、
を備えた回転検出装置であって、
前記補強部材は、前記貫通孔に圧入されていることを特徴とする回転検出装置。
【請求項２】
前記貫通孔の内面には、前記圧入時に変形可能なリブが設けられることを特徴とする請求項１に記載の回転検出装置。
【請求項３】
前記取付部には、前記貫通孔の周囲に前記ボルト接続によって変形可能な突起部を設けることを特徴とする請求項１または請求項２に記載の回転検出装置。
【発明の詳細な説明】
【技術分野】
【０００１】
本発明は、回転検出装置に関するものである。
【背景技術】
【０００２】
従来の回転検出装置は、例えば特許文献１に開示されるように、ハウジングと取付部が一体に成形され、取付部に金属製のスペーサーがインサート成形されるものが提案されている。
【先行技術文献】
【特許文献】
【０００３】
【特許文献１】特開平１０−１３２８３６号公報
【発明の概要】
【発明が解決しようとする課題】
【０００４】
しかしながら、このような回転検出装置は、合成樹脂製のハウジングに金属をインサート成形するため、寸法精度を良好にするための位置調整だけでなく、成形時の工程自体が煩雑となり生産性の上で改善の余地があった。
【０００５】
本発明は、上記問題点に鑑みてなされたものであり、生産性が良好な回転検出装置を提供することを目的とする。
【課題を解決するための手段】
【０００６】
本発明に係る回転検出装置１は、磁力変化を電気信号に変換する検出部２を内蔵する合成樹脂製のハウジング５と、このハウジング５に形成される貫通孔５ｅ１と、この貫通孔５ｅ１に被取付部１００とボルト接続するための金属製で筒状の補強部材５ｆと、を有する取付部５ｅと、を備え、補強部材５ｆは、貫通孔５ｅ１に圧入されていることを特徴とする。
【０００７】
貫通孔５ｅ１の内面には、圧入時に変形可能なリブ５ｋが設けられることを特徴とする。
【０００８】
取付部５ｅには、貫通孔５ｅ１の周囲にボルト接続によって変形可能な突起部５ｊを設けることを特徴とする。
【発明の効果】
【０００９】
本発明によれば、生産性が良好な回転検出装置を提供することができる。
【図面の簡単な説明】
【００１０】
【図１】本発明の第１実施形態を示す回転検出装置の側面図。
【図２】図１のＡ−Ａ断面図。
【図３】図２のＢ−Ｂ断面における外ケースを示す図。
【図４】同実施形態の補強部材非装着時の斜視図。
【図５】同実施形態を図１に示す上方（Ｕｐ側）から見た図。
【図６】図５のＣ−Ｃ断面図。
【図７】図５のＣ−Ｃ断面における補強部材圧入前の取付部を示す図。
【発明を実施するための形態】
【００１１】
以下、本発明が自動車の回転検出装置として適用された実施の形態について添付図面を用いて説明する。
【００１２】
回転検出装置１は、図１，２に示すように、検出部２と、回路基板３と、中ケース４と、外ケース（ハウジング）５と、充填部材６とから主に構成される。
【００１３】
検出部２は、磁石２ａと、磁気検出手段２ｂとから構成されるものである。磁石２ａは、円柱状あるいは角柱状をなし、磁気検出手段２ｂに接している。磁気検出手段２ｂは、ホールＩＣや磁気抵抗素子（ＭＲ素子）等からなるものであり、歯車や専用ロータ等の磁性材料からなる被検出体の回転に伴う磁力の変化（磁石２ａが発する磁力の変化）を検出するもので、磁石２ａに硬化型接着剤を介して配設される。
【００１４】
回路基板３は、ガラス繊維入りエポキシ樹脂材やセラミック等の絶縁基板に所定の配線パターンが形成されてなる硬質回路基板からなり、磁気検出手段２ｂのノイズ吸収用コンデンサや信号増幅回路等の各種電子部品（図示しない）が実装されている。回路基板３の一端側は、略Ｌ字状に折り曲げ形成された磁気検出手段２ｂのリード２ｂ１が半田等を介して電気的に接続され、また他端側は、後述するリード端子が半田等を介して電気的に接続されている。従って、磁気検出手段２ｂにより検出された検出信号は、回路基板３から前記リード端子に伝わり外部に出力される。
【００１５】
中ケース４は、ＳＰＳ（シンジオタクチックポリスチレン：syndiotactic polystyrene），ＰＢＴ（ポリブチレンテレフタレート：poly butylenes terephtalate）及びＰＰＳ（ポリフェニレンサルファイド：Poly Phenylene Sulfide）等の合成樹脂材料から構成され、図２で示すように、ヘッド部４ａと、ボディ部４ｂと、コネクタ部４ｃとを一体に備えている。
【００１６】
ヘッド部４ａには、磁石２ａを埋設するための凹部４ａ１と、回路基板３を配設するための載置部４ａ２とが形成され、載置部４ａ２は、凹部４ａ１の底面と略直交する位置関係をなしている。回路基板３は、載置部４ａ２に硬化型接着剤を介して配設固定され、また、磁石２ａは、凹部４ａ１に硬化型接着剤を介して配設固定される。
【００１７】
ボディ部４ｂには、導電性材料から形成されるリード端子４ｂ１がインサート成形されている。リード端子４ｂ１は、その両端部が略Ｌ字状に折り曲げ形成され、一端が回路基板３と電気的に接続され、また他端がコネクタ部４ｃへ引き出し案内されている。
【００１８】
コネクタ部４ｃは、雄型コネクタ構造をなし、ボディ部４ｂに対して垂直方向に折り曲げ形成されおり、中ケース４を外ケース５の後述する収納空間に挿入する方向に対し直交方向に屈曲している。図示しない雌型コネクタがリード端子４ｂ１の前記他端に接続可能な形状をなしている。
【００１９】
外ケース５は、中ケース４と同様な合成樹脂材料を適用することができ、図２，３に示すように、断面形状が略コの字状をなし、一端に開口５ａを備え、他端に底部５ｂを設ける円筒のカップ形状からなり、検出部２，回路基板３及び中ケース４を収納する収納空間５ｃを有する。外ケース５は、磁気検出手段２ｂの磁石２ａとの非接触面である磁気検出面に当接する底部５ｂが、側壁部５ｄに比べて薄肉になるように形成され、この底部５ｂは、回転検出装置１の検出面となる。
【００２０】
また、外ケース５は、その側壁部５ｄのＸ方向先端部に被取付部１００に取り付けるための取付部５ｅを有し、取付部５ｅに貫通孔５ｅ１を備えている。貫通孔５ｅ１の内側には複数の線状リブ５ｋを備えている。金属材料からなるリング状のカラー（補強部材）５ｆが取付部５ｅの上方（図４のＵｐ側）から圧入され、線状リブ（リブ）５ｋにより取付部５ｅに保持される。
【００２１】
また、図４，５に示すように、貫通孔５ｅ１の同心円５ｉ上に突起部５ｊが設けられている。回転検出装置１を、ボルト２００を用いて被取付部１００に取り付ける際に、ボルト２００の螺合接続にともなってボルト２００の頭部に接触する脆弱な突起部５ｊの先端が変形し、突起部５ｊでボルト２００を押さえるようにして互いの摩擦力を高めて、ボルト２００の回転を防止して抜け止めする作用がある。
【００２２】
また、外ケース５の開口５ａ近傍の側壁部５ｄの内壁に充填部材６の充填量を定める規定部５ｈを備えている。
【００２３】
充填部材６は、エポキシ樹脂やシリコーン樹脂が適用でき、中ケース４を挿入した外ケース５の収納空間５ｃに充填され、収納空間５ｃを気密的に封止するものである。充填部材６は、中ケース４と外ケース５とを組み付けた状態で、底部５ｂ側から注入され、少なくとも検出部２，回路基板３及び中ケース４におけるリード端子４ｂ１が露出している部分が埋まる位置まで注入される。
【００２４】
以上の各部によって回転検出装置１が構成されている。図６に示すように、取付部５ｅにカラー５ｆを圧入する構造にすることによって、生産性が良い回転検出装置とすることができる。
【００２５】
また、図７に示すように、貫通孔５ｅ１の内側に、圧入時に変形可能な線状リブ５ｋを設けたことによって、カラー５ｆを強固に固定することができる。なお、線状リブ５ｋはカラー５ｆ挿入口付近（Ｕｐ側）に傾斜部を設ける場合を例示したが、上方（Ｕｐ側）から下方（Ｄｏｗｎ側）に向かうにつれて線状リブの突出高さが高くなる傾斜面とすることによって、カラー５ｆを圧入する際の誘い込み形状とすることができ、組み付け性を容易にするだけでなく、カラーの脱落や回転を防止する効果が高まることが期待できる。
【００２６】
また、突起部５ｊを設けることにより、被取付部１００への組み付け強度が増し、回転検出装置の向きを一定に保つことができ、検出精度の良い回転検出装置となることが期待できる。
【００２７】
本発明は、上述実施形態に限定するものではなく、種々の変形が可能である。例えば、上述実施形態では、充填部材６を用いる構造を例示したが、本発明は充填部材を用いない構造にも適用可能である。
【００２８】
また、上述実施形態では、突起部５ｊを取付部５ｅの同心円５ｉ全周に設ける場合を例示したが、ボルト２００の回転を防止することが出来れば、同心円５ｉの一部に突起部５ｊを設ける構造としても同様の効果が期待できる。
【００２９】
また、上述実施形態では、補強部材として金属製でリング状のカラーを用いる場合を例示したが、多角柱形状の部材を用いても同様の効果が期待できる。
【産業上の利用可能性】
【００３０】
本発明は、ハウジングに被検出体への取付部を備えた回転検出装置に利用可能である。
【符号の説明】
【００３１】
１      回転検出装置
２      検出部
２ａ    磁石（検出部）
２ｂ    磁気検出手段（検出部）
４      中ケース
４ｂ１  リード端子
４ｃ    コネクタ部
５      外ケース（ハウジング）
５ａ    開口
５ｂ    底部
５ｃ    収納空間
５ｄ    側壁部
５ｅ    取付部
５ｅ１  貫通孔
５ｆ    カラー（補強部材）
５ｈ    規定部
５ｉ    同心円
５ｊ    突起部
５ｋ    線状リブ（リブ）
６      充填部材
１００      被取付部
２００      ボルト
【図１】
2017223455.tif 000003
【図２】
2017223455.tif 000004
【図３】
2017223455.tif 000005
【図４】
2017223455.tif 000006
【図５】
2017223455.tif 000007
【図６】
2017223455.tif 000008
【図７】
2017223455.tif 000009